(57)【要約】【課題】簡易な構成で電解水を温度調整できる。【解決手段】電解質を添加した原水を電気分解することにより電解水を生成する電解水生成装置２から、電解水の供給を受ける電解水供給部１１と、電解水供給部１１から供給される電解水を通過させる冷温水通過管１５と、冷温水通過管１５を通過した電解水を排出する電解水排出部１２と、加温又は冷却された冷温水の供給を受ける冷温水供給部１３と、冷温水供給部１３から供給された冷温水を、冷温水通過管１５と隣接させて通過させる電解水通過管１６と、電解水通過管１６を通過した冷温水を排出する冷温水排出部１４とを備え、電解水通過管と冷温水通過管との境界部分は、熱伝導率の高い材料で形成されている。【選択図】  図１
2015205230.tif 000002
【特許請求の範囲】
【請求項１】
電解質を添加した原水を電気分解することにより電解水を生成する電解水生成装置と、
前記電解水生成装置から電解水の供給を受ける電解水供給部と、前記電解水供給部から供給される電解水を通過させる電解水通過管と、前記電解水通過管を通過した電解水を排出する電解水排出部と、加温又は冷却された冷温水の供給を受ける冷温水供給部と、前記冷温水供給部から供給された冷温水を、前記電解水通過管と隣接させて通過させる冷温水通過管と、前記冷温水通過管を通過した前記冷温水を排出する冷温水排出部とを備える電解水温度調整装置と
を有することを特徴とする電解水温度調整システム。
【請求項２】
前記冷温水排出部から排出される冷温水を、前記冷温水又は前記電解水の生成のために再利用する
ことを特徴とする請求項１に記載の電解水温度調整システム。
【請求項３】
前記冷温水排出部は、
前記冷温水を前記電解水生成装置に供給し、
前記電解水生成装置は、
前記冷温水を用いて前記電解水を生成する
ことを特徴とする請求項２に記載の電解水温度調整システム。
【請求項４】
前記電解水生成装置は、
酸性電解水及びアルカリ性電解水の両方を生成し、前記酸性電解水及び前記アルカリ性電解水を第１及び第２の電解水温度調整装置にそれぞれ供給し、
前記第１又は第２の電解水温度調整装置において使用された冷温水を、前記第２又は第１の電解水温度調整装置に供給して冷温水として使用した後、当該冷温水を前記電解水生成装置に供給する
ことを特徴とする請求項３に記載の電解水温度調整システム。
【請求項５】
前記電解水生成装置は、
酸性電解水及びアルカリ性電解水の両方を生成し、前記酸性電解水及び前記アルカリ性電解水を第１及び第２の電解水温度調整装置にそれぞれ供給し、
前記第１及び第２の電解水温度調整装置においてそれぞれ使用された冷温水を前記電解水生成装置に供給する
ことを特徴とする請求項３に記載の電解水温度調整システム。
【請求項６】
前記電解水温度調整装置は、
前記冷温水排出部から排出される冷温水を、前記冷温水を供給する冷温水供給装置に供給し、
前記冷温水供給装置は、
前記冷温水排出部から排出された冷温水を用いて、前記電解水温度調整装置に対して供給する前記冷温水を生成する
ことを特徴とする請求項２に記載の電解水温度調整システム。
【請求項７】
電解質を添加した原水を電気分解することにより電解水を生成する電解水生成装置から、電解水の供給を受ける電解水供給部と、
電解水供給部から供給される電解水を通過させる電解水通過管と、
前記電解水通過管を通過した電解水を排出する電解水排出部と、
加温又は冷却された冷温水の供給を受ける冷温水供給部と、
前記冷温水供給部から供給された冷温水を、前記電解水通過管と隣接させて通過させる冷温水通過管と、
前記冷温水通過管を通過した前記冷温水を排出する冷温水排出部と
を備えることを特徴とする電解水温度調整装置。
【請求項８】
前記冷温水通過管は、
前記電解水通過管の内部に設けられており、
前記境界部分は、
前記冷温水通過管である
ことを特徴とする請求項７に記載の電解水温度調整装置。
【請求項９】
前記電解水生成装置は、
前記冷温水排出部から排出された冷温水を用いて、前記電解水を生成する
ことを特徴とする請求項７に記載の電解水温度調整装置。
【請求項１０】
前記冷温水通過管は、
プラスチック材料で形成されている
ことを特徴とする請求項８に記載の電解水温度調整装置。
【請求項１１】
前記電解水通過管は、
前記電解水の通過方向に沿うように凹凸が設けられている
ことを特徴とする請求項９に記載の電解水温度調整装置。
【請求項１２】
前記電解水通過管は、
前記電解水供給部から第１の水平方向に延びた後、ほぼ直角に折れ曲がることにより第１の鉛直方向へ延び、１８０度方向を回転させて第２の鉛直方向へ延び、ほぼ直角に折れ曲がることにより、第１の水平方向とは逆方向である第２の水平方向へ延びて前記電解水排出部に接続する
ことを特徴とする請求項９に記載の電解水温度調整装置。
【請求項１３】
前記電解水供給部及び前記冷温水供給部の少なくもいずれか一方に、
流量を調整するための流量調整部を有する
ことを特徴とする請求項１０に記載の電解水温度調整装置。
【発明の詳細な説明】
【技術分野】
【０００１】
本発明は、例えば自動車や工業用部品、衣類、食器、食品などの各種処理対象を洗浄や殺菌・除菌する際に用いられる電解水を冷却又は加温する際に用いられる電解水温度調整装置及び電解水温度調整システムである。
【背景技術】
【０００２】
従来、洗浄などの分野において、電解水生成装置が広く用いられている（例えば特許文献１参照）。
【０００３】
この電解水を用いることにより、界面活性剤を使用しなくても界面活性剤を使用したときと同等又はそれ以上の洗浄力が得られることが知られている。
【０００４】
この電解水生成装置としては、アルカリ性を呈するアルカリ性電解水と酸性を呈する酸性電解水のうち、両方を生成するタイプのものや、いずれか一方を生成するタイプのもの、洗浄効果を向上させるためにさらに微細気泡を含有するものなど、種々のタイプのものが存在することが知られている。
【先行技術文献】
【特許文献】
【０００５】
【特許文献１】特開２００９−２６８９９７号公報
【発明の概要】
【発明が解決しようとする課題】
【０００６】
ところで、例えば酸性電解水は、野菜の洗浄や殺菌・除菌などに好適に使用される。この野菜の洗浄においては、野菜の鮮度を保つために、低温の酸性電解水を用いることが望まれている。
【０００７】
一方で、アルカリ電解水は、精密部品などの洗浄などに好適に使用される。この精密部品の洗浄においては、特に油脂の洗浄効果を向上させたいとき、加温したアルカリ性電解水が用いることが望まれている。
【０００８】
このように、電解水の温度を調整したいという要望があるものの、冷却及び加温の両方の機能を持つ電解水温度調整装置は、冷却装置や加温装置を必要とするため、構成が複雑となり、価格的に高くなってしまうという問題があった。
【０００９】
本発明はこのような問題を解決するためになされたもので、その目的は、簡易な構成で電解水を冷却及び加温可能な電解水温度調整装置及び電解水温度調整システムを提供するものである。
【課題を解決するための手段】
【００１０】
かかる課題を解決するため、本発明の電解水温度調整システムでは、電解質を添加した原水を電気分解することにより電解水を生成する電解水生成装置と、電解水生成装置から電解水の供給を受ける電解水供給部と、電解水供給部から供給される電解水を通過させる電解水通過管と、電解水通過管を通過した電解水を排出する電解水排出部と、加温又は冷却された冷温水の供給を受ける冷温水供給部と、冷温水供給部から供給された冷温水を、電解水通過管と隣接させて通過させる冷温水通過管と、冷温水通過管を通過した冷温水を排出する冷温水排出部とを備える電解水温度調整装置とを有するようにした。
【００１１】
これにより、本発明は、冷温水の温度を変化させるだけで電解水の温度を調整することができる。
【００１２】
また、本発明の電解水温度調整装置は、電解質を添加した原水を電気分解することにより電解水を生成する電解水生成装置から、電解水の供給を受ける電解水供給部と、電解水供給部から供給される電解水を通過させる電解水通過管と、電解水通過管を通過した電解水を排出する電解水排出部と、加温又は冷却された冷温水の供給を受ける冷温水供給部と、冷温水供給部から供給された冷温水を、電解水通過管と隣接させて通過させる冷温水通過管と、冷温水通過管を通過した冷温水を排出する冷温水排出部とを備え、電解水通過管と冷温水通過管との境界部分は、熱伝導率の高い材料で形成されているようにした。
【００１３】
これにより、本発明は、冷温水の温度を変化させるだけで電解水の温度を調整することができる。
【発明の効果】
【００１４】
本発明は、冷温水の温度を変化させるだけで電解水の温度を調整することができるため、簡易な構成で電解水を冷却及び加温することができる。
【図面の簡単な説明】
【００１５】
【図１】第１の実施の形態における電解水温度調整システムの構成を示す略線図である。
【図２】第１の実施の形態における電解水温度調整装置の構成を示す略線図である。
【図３】第１の実施の形態におけるパイプの構成を示す略線図である。
【図４】パイプの断面図を示す略線図である。
【図５】第２の実施の形態における電解水温度調整システムの構成を示す略線図である。
【図６】他の実施の形態におけるパイプの構成を示す略線図である。
【図７】第２の実施の形態における電解水温度調整システムの構成を示す略線図である。
【発明を実施するための形態】
【００１６】
次に本発明を実施するための形態について図面を参照して説明する。
【００１７】
＜第１の実施の形態＞
一般的に、洗浄や殺菌・除菌などの工程を有する工場などの現場では、処理される対象物（以下、これを処理対象と呼ぶ）に応じて、冷水や温水が使用されることが多い。例えば、処理対象が野菜などの生鮮食品の場合、鮮度を保つために冷水が使用されることが多い。また、処理対象が金属やプラスチックなどの部品などの場合、油脂を除去するために温水が使用されることが多い。
【００１８】
言い換えると、洗浄などの工程を有する現場では、処理対象に応じて、冷水や温水を供給する冷温水供給装置が予め備わっている。
【００１９】
近年、除菌・殺菌効果や、洗浄力を向上させる効果などが広く認められることから、洗浄工程やその後の工程などにおいて電解水が使用されるケースが増大している。
【００２０】
しかしながら、電熱線などの電気ヒータによって電解水を加温すると、電気ヒータ周囲が局所的に加熱されることになり、電解水の酸・アルカリによって腐食が進行する恐れがある。また、コンプレッサなどを用いた電気冷却装置はそれ自体が非常に高価である。
【００２１】
さらに、電気ヒータや電気冷却装置は電源を必要とするため、これらを用いた温度調整装置を用いて電解水の温度を調整する場合、当該温度調整装置の設置場所が電源の近くに限られるだけでなく、水による漏電のおそれから、大量に水を使用する洗浄などの場所からある程度距離を置いて設置しなくてはならないなどの制約が発生してしまう。
【００２２】
また、冷却・加温のために普通の水を加えてしまうと、電解水が薄まってしまい、洗浄などの効果が低下する恐れがある。
【００２３】
そこで本願発明人は、かかる特殊な事情に鑑み、既存の設備を利用することにより簡易な構成で電解水の温度を調整できる電解水温度調整装置を発明するに至った。
【００２４】
図１は全体として電解水温度調整システム１を示しており、各種の処理対象を洗浄などすることが想定されている。なお図１では、電解水の動きを実線で、冷温水の動きを破線で示している。
【００２５】
電解水温度調整システム１において、電解水生成装置２は、電解水温度調整装置１０に接続されている。電解水生成装置２によって生成された電解水は、ホース（図示せず）などを介して電解水温度調整装置１０に供給される。
【００２６】
なお、電解水とは、原水に対して電解質を溶解させ、電気分解することにより製造されたものをいう。原水としては、例えば軟水化処理を施した水道水やミネラルウォータ、精製水、塩酸水溶液や水酸化ナトリウム水溶液などの各種調整水を使用することも可能である。電解質としては例えば次亜塩素酸ナトリウムや、塩化ナトリウム、炭酸水素ナトリウム、塩酸、炭酸カリウム、塩化カリウムなど、水に溶解して電離する各種物質を使用することができる。
【００２７】
電解水生成装置２としては、アルカリ性を呈するアルカリ性電解水、酸性を呈する酸性電解水のうち、生成した両方又は一方、もしくは両方を混合したものが用いられる。
【００２８】
電解水温度調整装置１０は、冷温水供給装置３から供給される冷却又は加温された水（以下、これを冷温水と呼ぶ）を用いて供給された電解水の温度を調整し、洗浄装置４に供給する。
【００２９】
図２に示すように、電解水温度調整装置１０は、パイプ１８と、当該パイプ１８を保持するホルダ１９によって形成されている。
【００３０】
図３に示すように、パイプ１８は、下方向が開放された「コ」の字状の本体部分１８Ａから、当該本体部分１８Ａに対して直角に突き出すように、４本の枝パイプ１８Ｂが連接されている。
【００３１】
言い換えると、パイプ１８は、電解水供給部１１から水平奥方向に延びた後、ほぼ直角に折れ曲がることにより分岐して上下方向へ延び、上方向に延びた部分は一旦水平右方向へ向けて直角に折れ曲がると共に、下方向に延びた部分は、直角に折れ曲がって水平手前方向に延び、冷温水供給部１３に接続する。
【００３２】
その後、水平右方向の部分は再度直角に折れ曲がり、下方向と水平手前方向へ向けて分岐し、水平手前方向に延びた部分は直角に折れ曲がって電解水排出部１２に接続する。下方向へ延びた部分は、直角に折れ曲がって水平手前方向に延び、冷温水排出部１４に接続する。
【００３３】
これにより、パイプ１８は、主に上下方向にスペースを必要とするため、水平方向に約２５ｃｍ×２５ｃｍ、鉛直方向に約１００ｃｍと、水平方向のサイズをコンパクトにしている。
【００３４】
パイプ１８は、例えば塩化ビニル樹脂やポリエチレンテレフタレート樹脂など、熱伝導率の比較的低い一般的なプラスチック材料で形成されることが望ましい。
【００３５】
枝パイプ１８Ｂは、先端に開閉可能な栓２０（２０Ａ〜２０Ｄ）がそれぞれ設けられており（図２）、栓２０が外され、先端のジョイント部分にホースなどが接続されることにより、電解水及び冷温水が給排水される。栓２０Ａ〜２０Ｄは、それぞれ電解水供給部１１、電解水排出部１２、冷温水供給部１３及び冷温水供給部１４にそれぞれ対応している。
【００３６】
ホルダ１９は、パイプ１８を保持すると共に、電解水供給部１１、電解水排出部１２、冷温水供給部１３及び冷温水供給部１４の位置を作業員がホースなどを接続する作業のしやすい位置に持ち上げる役割を果たす。ホルダ１９の前面には４つの孔が設けられ、４本の枝パイプ１８Ｂを貫通させて保持している。また、ホルダ１９は、水平方向の左右及び奥手前側において、パイプ１８よりも突出することにより、パイプ１８を保護している。
【００３７】
図４に示すように、パイプ１８のうち、下側に位置する冷温水供給部１３から冷温水排出部１４までの部分は、二重構造になっている。内側の冷温水通過管１５は、例えばアルミニウムやステンレスなど、熱伝導率の高い金属材料で形成されることが好ましい。また、冷温水通過管１５は、表面積を大きくするため、冷温水の通過方向に沿うように凹凸が形成されていることが好ましい。
【００３８】
冷温水供給部１３から供給される冷温水は、内側の冷温水通過管１５を通過して、冷温水排出部１４に排出される。
【００３９】
また、上側に位置する冷温水供給部１１からホースなどを介して供給される電解水は、電解水通過管１６を通過する。電解水は、冷温水通過管１５と合流してからは、冷温水通過管１５の外側部分を電解水通過管１６として通過し、電解水排出部１３から排出され、ホースなどを介して洗浄装置４に供給される。
【００４０】
ここで、前述したように、洗浄を行う現場では、必要に応じて冷水や温水が供給できる冷温水供給装置３が備えられている。そこで、冷温水通過管１５に冷水又は温水を通過させることにより、電解水通過管１６に供給された電解水の温度を調整できるようになされている。
【００４１】
この電解水の温度は、電解水通過管１６を通過する電解水の温度及び時間当たりの量と、冷温水通過管１５を通過する冷温水の温度及び時間当たりの量に応じて、自由に調整することが可能である。
【００４２】
また、冷温水排出部１４から排出された冷温水は、ホースなどを介して冷温水供給装置３に戻されることが好ましい。冷温水供給装置３は、冷温水を再利用することにより、水資源及びエネルギー資源を節約し得る。
【００４３】
洗浄装置４は、適した温度に調整された電解水を用いて、処理対象を洗浄する。これにより、冷却・加温による洗浄などの向上効果を維持しつつ、電解水による洗浄、殺菌効果などを付加することが可能となる。
【００４４】
以上の構成によれば、本発明の電解水温度調整装置１０は、電解質を添加した原水を電気分解することにより電解水を生成する電解水生成装置２から、電解水の供給を受ける電解水供給部１１と、電解水供給部１１から供給される電解水を通過させる電解水通過管１６と、電解水通過管１６を通過した電解水を排出する電解水排出部１２と、加温又は冷却された冷温水の供給を受ける冷温水供給部１３と、冷温水供給部１３から供給された冷温水を、電解水通過管１６と隣接させて通過させる冷温水通過管１５と、電解水通過管１６を通過した冷温水を排出する冷温水排出部１４とを備え、冷温水通過管１５と電解水通過管１６との境界部分である冷温水通過管１５は、熱伝導率の高い材料で形成されているようにした。
【００４５】
これにより、電解水温度調整装置１０は、電源及び電気系統を一切使用する必要がないため、設置場所に制限がなく、漏電の恐れもなく故障などがない。加温・冷却装置が不要なため構成を簡易にでき、電解水温度調整装置１０としてのサイズを著しく小さくすることができる。また、ヒータのように局所的な温度上昇がないため、耐腐食性も小さくて済む。
【００４６】
また、電解水温度調整装置１０は、供給する冷温水として冷水と温水とを切り替えるだけで、冷却及び加温の両方の機能を発現することができ、電解水温度調整装置１０としての価格を安く抑えることができる。また、電解水温度調整装置１０は、１種類の装置で冷却装置及び加温装置として使用できるため、量産効果により価格を抑制することができる。
【００４７】
さらに、冷温水通過管１５は、電解水通過管１６の内部に設けられており、境界部分が冷温水通過管１５である。電解水温度調整装置１０は常温に近い温度の電解水を通過させる電解水通過管１６を外側にすることで、温度調整の効率を向上させることができる。
【００４８】
電解水通過管１６は、プラスチック材料で形成されている。一般的に、プラスチック材料は、安価で丈夫で、かつ熱伝導率も低い。このため、電解水通過管１６は、電解水を保温しつつ、内部の冷温水通過管１５を保護することができる。
【００４９】
冷温水通過管１５は、電解水の通過方向に沿うように凹凸が設けられている。電解水の通過方向に垂直に、すなわち蛇腹上に凹凸が設けられた場合と比較して、冷温水の滞留を防ぎ、スムーズに冷温水を通過させることができる。
【００５０】
電解水通過管１６は、電解水供給部１１から第１の水平方向である水平奥方向に延びた後、ほぼ直角に折れ曲がることにより第１の鉛直方向である上方向へ延び、１８０度方向を回転させて第２の鉛直方向である下方向へ延び、ほぼ直角に折れ曲がることにより、第１の水平方向とは逆方向である第２の水平方向としての水平手前方向へ延びて電解水排出部１２に接続する。
【００５１】
これにより、電解水通過管１６は、上下方向のスペースを多く使用することになるため電解水温度調整装置１０としての水平方向のサイズを非常に小さくすることができ、僅かなデッドスペースを活用して電解水温度調整装置１０を設置させることができる。
【００５２】
電解水供給部１１と電解水排出部１２は、近接した位置に設けられている。これにより、電解水温度調整装置１０は、電解水を接続する作業を簡易にすることができる。
【００５３】
電解水供給部１１、電解水排出部１２、冷温水供給部１３及び冷温水排出部１４は、田の字状に配置されている。これにより、電解水温度調整装置１０は、電解水及び冷温水を供給するためのホースなどを接続する作業を簡易にすることができると共に、冷温水通過管１５と電解水通過管１６との合流地点までの距離を最小限に抑えることができ、エネルギー及びスペースの損失を低減できる。
【００５４】
電解水温度調整装置１０は、冷温水通過管１５と電解水通過管１６とを包含するパイプ１８と、当該パイプ１８を保持するホルダ１９とから構成されるようにした。これにより、電解水温度調整装置１０は、構成を簡易にすることができ、電解水温度調整装置１０としての価格を低減できる。
【００５５】
＜第２の実施の形態＞
図５に示す第２の実施の形態においては、酸性電解水及びアルカリ性電解水の両方を加温する点と、パイプ１１８の形状とが第１の実施の形態と相違している。なお、第２の実施の形態においては、第１の実施の形態に対応する箇所に１００を附して示し、同一箇所に関する説明を省略する。
【００５６】
図５に示すように、第２の実施の形態における電解水温度調整システム１０１では、電解水生成装置１０２から酸性電解水及びアルカリ性電解水の両方が供給され、２つの電解水温度調整装置１１０Ａ及び１１０Ｂによってそれぞれ加温又は冷却される。以下、加温するケースについて説明するが、冷却する場合も同様である。
【００５７】
冷温水供給装置１０３は、例えば５５℃の温水を１２リットル／分の速度で電解水温度調整装置１１０Ａに供給する。電解水温度調整装置１１０Ａは、例えば６リットル／分で供給される酸性電解水を加温し、洗浄装置１０４Ａに供給する。このとき、酸性電解水の温度は例えば４５℃程度まで加温される。
【００５８】
一方で、電解水温度調整装置１１０Ａは、加温に使用した温水を電解水温度調整装置１１０Ｂに供給する。このとき、温水の温度は、例えば４５℃程度まで低下している。
【００５９】
電解水温度調整装置１１０Ｂは、例えば６リットル／分で供給されるアルカリ性電解水を加温し、洗浄装置１０４Ｂに供給する。このとき、アルカリ性電解水の温度は例えば３５℃程度まで加温される。
【００６０】
一方で、電解水温度調整装置１１０Ａは、加温に使用した温水を電解水生成装置１０２に供給する。このとき、温水の温度は、例えば配管長による熱損失を５℃とすると、３０℃程度まで低下している。
【００６１】
電解水生成装置１０２は、加温に使用されたため３０℃程度まで温度が低下した温水を使用して、酸性電解水及びアルカリ性電解水を生成する。そして、温水を使用したことにより３０℃程度で生成された酸性電解水及びアルカリ性電解水をそれぞれ電解水温度調整装置１１０Ａ及び１１０Ｂに供給する。
【００６２】
以上の構成によれば、電解水温度調整システム１０１では、電解質を添加した原水を電気分解することにより電解水を生成する電解水生成装置１０２と、電解水温度調整装置１１０Ｂを有し、電解水温度調整装置１１０Ｂから排出される冷温水を、電解水の生成のために再利用するようにした。
【００６３】
これにより、電解水温度調整システム１０１では、電解水の温度調整に使用される冷温水を捨ててしまうことなく、電解水の原水として利用することができるため、水及びエネルギーを有効に利用することができると共に、既存の設備で生成できる冷温水に近い温度まで電解水を加温及び冷却することができる。
【００６４】
電解水生成装置１０２は、酸性電解水及びアルカリ性電解水の両方を生成し、酸性電解水及びアルカリ性電解水を第１及び第２の電解水温度調整装置としての電解水温度調整装置１１０Ａ及び１１０Ｂにそれぞれ供給し、電解水温度調整装置１１０Ａにおいて使用された冷温水を、電解水温度調整装置１１０Ｂに供給して冷温水として使用した後、当該冷温水を電解水生成装置１０２に供給する。
【００６５】
これにより、電解水温度調整システム１０１では、酸性電解水を加温した温水を用いてアルカリ性電解水を加温できるため、エネルギーのロスなく昇温できる。また、２回の加温への使用により冷却された温水を電解水生成装置１０２に供給するため、電解水生成装置１０２の耐熱・耐久性に殆ど影響を与えることがない。
【００６６】
なお、利用後の水に対し、フィルタなどの不純物除去装置を用いて不純物を除去しても良い。この不純物除去装置は、例えば電解水生成装置１０２の前段に設置される。
【００６７】
以上の構成によれば、電解水温度調整システム１０１では、２つの電解水温度調整装置１１０Ａ及び１１０Ｂを直列に接続し、冷温水を再利用すると共に、再利用された冷温水を用いて電解水を生成するようにした。
【００６８】
これにより、電解水温度調整システム１０１では、電解水生成装置１０２に適温の原水を供給することができ、既存の設備をそのまま使用しながら、エネルギー及び水のロスを最小限に抑えることができる。
【００６９】
＜電解水温度調整システムの利用＞
電解水温度調整システム１は、温度調整した電解水を洗浄装置４に供給する。この洗浄装置４としては、例えば卵を洗浄する装置が挙げられる。
【００７０】
通常、卵洗浄装置では、糞や羽根などが付着した卵を洗浄するため、卵を温水に浸漬させた後にブラシ洗浄を行い、温水シャワー後に再度ブラシ洗浄、再度温水シャワーをした後、卵を乾燥させる。
【００７１】
このとき、衛生上の理由により、５０℃程度のお湯を使用することが推奨されている。そこで、洗浄装置４としては、電解水温度調整装置１０を使用して加温した卵の浸漬及び１度目の温水シャワーにアルカリ性電解水を使用し、２度目の温水シャワーに酸性電解水を使用する。
【００７２】
仮に、電解水温度調整装置１０による加温が十分でない場合には、お湯を足して温度を上昇させることも可能である。この場合であっても、追加するお湯の量を最小限に抑えることができるため、電解水の濃度を高く維持することが可能である。また、電解水の濃度を希釈したい場合にも同様である。
【００７３】
また、洗浄工程後の除菌・殺菌工程や、後処理工程など、電解水が用いられる全ての工程に用いられる装置に供給することができる。
【００７４】
例えば、銭湯や旅館などの共同浴場などにも本発明の電解水温度調整システム１を使用することができる。共同浴場では、浴槽内のお湯を循環させ、フィルタで髪の毛やゴミなどを除去し、再加熱して利用している。
【００７５】
この場合、通常は酸性電解水を浴槽に入れて使用することにより、塩素剤の使用量を減らしつつ除菌・殺菌を確実に行うことができる。また、酸性電解水を循環させることにより、循環装置の内部において、濾過されなかった油脂成分がパイプの内部に付着することを低減させることができる。
【００７６】
また、浴槽を洗浄する際には、残り湯でアルカリ性電解水を生成して使用することにより、油脂などの汚れを効果的に除去することができる。また、循環装置内部にアルカリ性電解水を通すことにより、パイプの内部に付着した油脂成分の除去も可能である。
【００７７】
さらに、洗面所やキッチン、病院の手術室などの手や器具を洗う場所において、せっけんなどの代わりに酸性電解水を使用することにより、手荒れを防止しつつ雑菌の増殖を防止することが可能となる。この場合においても、酸性電解水を加温することにより、冷たい水で手が冷えてしまうのを防止できる。
【００７８】
また、トイレの流水としてアルカリ性電解水を使用し、仕上げに酸性電解水を使用することにより、常に洗剤を使用しているのと同じ洗浄効果を得ると共に、雑菌の繁殖を防止できる。この場合においても、電解水を加温することにより、洗浄効果を向上させ得る。
【００７９】
＜他の実施の形態＞
なお上述した実施の形態では、電解水温度調整装置１０がホルダ１９を有するようにした場合について述べたが、本発明はこれに限らず、ホルダ１９は必ずしも必須ではない。例えば、パイプ１８とホルダ１９を一体形成しても良い。またその構成に制限はなく、パイプ１８の保護及び持ち運びや作業性に応じて、適宜その形状及び材質などを変化させることが可能である。
【００８０】
さらに、上述した実施の形態では、電解水温度調整装置１０は、流量調整の機能を有さないようにした場合について述べた。本発明はこれに限らず、電解水供給部１１及び冷温水供給部１３の少なくともいずれか一方に、流量を調整するための流量調整部を有するようにしても良い。流量調整部としては、開閉度合いを調整可能な自動又は手動のバルブなど、種々の構成のものを使用できる。
【００８１】
また上述の実施の形態においては、電解水を加えて電気分解を行った電解水を使用するようにした場合について述べた。本発明はこれに限らず、例えば電解水に対して微細な気泡を含有させた気泡電解水を使用しても良い。例えば、旋回槽を用いて電解水に気泡を含有させたり、圧力を開放することにより電解水に気泡を含有させるなど、種々の方法で電解水に気泡を含有させることができる。例えば、特願２０１３−２４２４１６号に記載の気泡電解水生成装置を好適に用いることができる。
【００８２】
さらに上述の実施の形態においては、冷温水通過管１５が電解水通過管１６の内側に設けられるようにした場合について述べた。本発明はこれに限らず、例えば冷温水通過管１５が電解水通過管１６の外側に設けられてもよく、その位置関係に制限はない。
【００８３】
また上述の実施の形態においては、電解水通過管１６がプラスチック材料で形成されるようにした場合について述べた。本発明はこれに限らず、例えば金属材料の周りに断熱効果のある素材を巻いても良く、種々の材料を用いたり、それらを組み合わせたりしても良い。
【００８４】
さらに上述の実施の形態においては、冷温水通過管１５には、電解水の通過方向に沿って凹凸が設けられるようにした場合について述べた。本発明はこれに限らず、凹凸は必ずしも必要ではなく、その方向にも制限はない。要は、冷温水から電解水に対して、効率よく熱が伝導されれば良い。
【００８５】
また上述の実施の形態においては、パイプ１８が水平方向よりも鉛直方向に長いようにした場合について述べた。本発明はこれに限らず、鉛直方向より水平方向に長くても良い。また、パイプ１８がスプリングのように旋回する構造を有していたり、ジグザグ構造を有していても良い。
【００８６】
さらに上述の実施の形態においては、電解水供給部１１、電解水排出部１２、冷温水供給部１３及び冷温水排出部１４は、田の字状に配置されているようにした場合について述べた。本発明はこれに限らず、これらの位置関係に特に制限はない。
【００８７】
また上述した実施の形態においては、パイプ１８がコの字状であるようにした場合について述べた。本発明はこれに限らず、例えば図６のように、途中で分岐・合流してもよい。もちろん、複数回に亘って分岐・合流することも可能である。製造上の諸条件や、必要となる加温・冷却の程度に応じて、パイプ１８の形状を自由に設計することが可能である。なお図６では、便宜上、冷温水通過管１５を一点鎖線で示している。
【００８８】
また上述の実施の形態においては、電解水供給部１１は、冷温水再利用するようにした場合について述べた。本発明はこれに限らず、使用後の冷温水をそのまま廃棄したり、別の箇所で使用しても良い。
【００８９】
さらに上述した第２の実施の形態においては、２つの電解水温度調整装置１１０Ａ及び１１０Ｂを直列に接続するようにした場合について述べた。本発明はこれに限らず、例えば図７に示すように、電解水温度調整装置１１０Ａ及び１１０Ｂを並列に接続し、冷温水供給装置１０３からそれぞれに直接冷温水を供給するようにしても良い。これらの接続については、必要となる電解水の温度や冷温水の温度など、種々の条件に応じて適宜変更することができる。
【００９０】
また上述の実施の形態においては、電解水供給部としての電解水供給部１１と、電解水通過管としての電解水通過管１６と、電解水排出部としての電解水排出部１２と、冷温水供給部としての冷温水供給部１３と、冷温水通過管としての冷温水通過管１５と、冷温水排出部としての冷温水排出部１４とによって電解水温度調整装置としての電解水温度調整装置１０を構成するようにした場合について述べた。本発明はこれに限らず、その他種々の構成でなる、電解水供給部と、電解水通過管と、電解水排出部と、冷温水供給部と、冷温水通過管と、冷温水排出部とによって本発明の電解水温度調整装置を構成しても良い。
【００９１】
さらに上述の実施の形態においては、電解水生成装置としての電解水生成装置２と電解水温度調整装置としての電解水温度調整装置１０とによって電解水温度調整システムとしての電解水温度調整システム１を構成するようにした場合について述べた。本発明はこれに限らず、その他種々の構成でなる、電解水生成装置と電解水温度調整装置とによって本発明の電解水温度調整システムを構成しても良い。
【産業上の利用可能性】
【００９２】
本発明は、例えば精密部品や野菜洗浄などに適用することができる。
【符号の説明】
【００９３】
１、１０１・・・・・・電解水温度調整システム
２、１０２・・・・・・電解水生成装置
３、１０３・・・・・・冷温水供給装置
４、１０４・・・・・・洗浄装置
１０、１１０Ａ、１１０Ｂ、２１０・・・・・・電解水温度調整装置
１１・・・・・・電解水供給部
１２・・・・・・電解水排出部
１３・・・・・・冷温水供給部
１４・・・・・・冷温水排出部
１５・・・・・・電解水通過管
１６・・・・・・冷温水通過管
１８・・・・・・パイプ
１８Ａ・・・・・・パイプ本体
１８Ｂ・・・・・・枝パイプ
１９・・・・・・ホルダ
２０・・・・・・栓
【図１】
2015205230.tif 000003
【図２】
2015205230.tif 000004
【図３】
2015205230.tif 000005
【図４】
2015205230.tif 000006
【図５】
2015205230.tif 000007
【図６】
2015205230.tif 000008
【図７】
2015205230.tif 000009